(57)【要約】【課題】本発明の目的は、ブルートゥース（登録商標）の第１ないし第２送信手段を各々が有する第１ないし第３無線ノードが、メッシュネットワークの第１送信手段のみからなる目を構築するシステムを提供することにある。【解決手段】非中継手段を常になしブルートゥース（登録商標）の第１ないし第２送信手段の内の第１送信手段をなす第４無線ノードを備えるブルートゥース（登録商標）のメッシュネットワークに、第１ないし第２送信手段を各々が有する第１ないし第３無線ノードが、メッシュネットワークの第１送信手段のみからなる目を構築する第１ないし第３無線ノードを備えるシステムであって、第１ないし第４無線ノードの各々は、メッシュネットワークを利用するメッセージ受信手段を備えることを特徴とする。【選択図】図１
2019169937.tif 000002
【特許請求の範囲】
【請求項１】
非中継手段を常になしブルートゥース（登録商標）の第１ないし第２送信手段の内の前記第１送信手段をなす第４無線ノードを備える前記ブルートゥース（登録商標）のメッシュネットワークに、前記第１ないし第２送信手段を各々が有する第１ないし第３無線ノードが、前記メッシュネットワークの前記第１送信手段のみからなる目を構築する前記第１ないし第３無線ノードを備えるシステムであって、
前記第１ないし第４無線ノードの各々は、前記メッシュネットワークを利用するメッセージ受信手段を備えることを特徴とするシステム。
【請求項２】
非中継手段を常になしブルートゥース（登録商標）の第１ないし第２送信手段の内の前記第１送信手段をなす第４無線ノードを備える前記ブルートゥース（登録商標）のメッシュネットワークで、前記第１ないし第２送信手段を各々が有する第１ないし第３無線ノードが、前記メッシュネットワークの前記第１送信手段のみからなる目を構築する前記第１ないし第３無線ノードを利用する方法であって、
前記第１ないし第４無線ノードの各々は、前記メッシュネットワークを利用するメッセージ受信過程を含むことを特徴とする方法。
【請求項３】
請求項１に記載のシステムに用いる前記メッセージ受信手段を備えることを特徴とする集積回路。
【請求項４】
請求項１に記載のシステムに用いる前記メッセージ受信手段を備えることを特徴とする無線モジュール。
【請求項５】
プロセッサを、
請求項１に記載のシステムに用いる前記メッセージ受信手段として機能させるための制御プログラム。
【請求項６】
請求項１に記載のシステムに用いる前記第１ないし第４無線ノードの何れか１つを構成することを特徴とする無線ノード。
【発明の詳細な説明】
【技術分野】
【０００１】
本発明は、ブルートゥース（登録商標）メッシュネットワークに関する。
【背景技術】
【０００２】
従来、スキャタネット方法が知られる。例えば、特開２００３−５１６０９５号公報に記載の技術は、スキャタネットにおけるピコネット間通信をスケジュールするシステムと方法とが開示され、第１のネットワークノードは容量割当てメッセージを第２のネットワークノードに送信し、そのメッセージは第２の端末から要求された容量を表すパラメータと第１の端末における利用可能な容量の表記とを含み、第２の端末はマッチング機能を実行して第１の端末との通信セションに割当て可能な相互に受け入れ可能な利用可能な容量があるかどうかを判断する技術が開示されている。
【先行技術文献】
【特許文献】
【０００３】
【特許文献１】特開２００３−５１６０９５号公報
【発明の概要】
【発明が解決しようとする課題】
【０００４】
ところで、従来の技術は、ブルートゥース（登録商標）の第１ないし第２送信手段を各々が有する第１ないし第３無線ノードが、メッシュネットワークの第１送信手段のみからなる目を構築することができないと言った問題があった。
【０００５】
そこで、本発明の目的は、ブルートゥース（登録商標）の第１ないし第２送信手段を各々が有する第１ないし第３無線ノードが、メッシュネットワークの第１送信手段のみからなる目を構築することができるシステムおよび方法を提供することにある。
【課題を解決するための手段】
【０００６】
上記課題を解決するため本発明のシステムは、非中継手段を常になしブルートゥース（登録商標）の第１（スキャタネット）ないし第２（周辺機器）送信手段の内の前記第１（スキャタネット）送信手段をなす第４無線ノードを備える前記ブルートゥース（登録商標）のメッシュネットワークに、前記第１（スキャタネット）ないし第２（周辺機器）送信手段を各々が有する第１ないし第３無線ノードが、前記メッシュネットワークの前記第１（スキャタネット）送信手段のみからなる目を構築する前記第１ないし第３無線ノードを備えるシステムであって、前記第１ないし第４無線ノードの各々は、前記メッシュネットワークを利用するメッセージ受信手段を備えることを特徴とする。
【発明の効果】
【０００７】
本発明によれば、システムおよび方法は、ブルートゥース（登録商標）の第１ないし第２送信手段を各々が有する第１ないし第３無線ノードが、メッシュネットワークの第１送信手段のみからなる目を構築することができる。
【図面の簡単な説明】
【０００８】
【図１】実施形態のスキャタネットの構成図の一例である。
【発明を実施するための形態】
【０００９】
以下、本発明の実施の一形態について詳細に説明する。
【００１０】
図１は実施形態のスキャタネットの構成図の一例である。例えば、スキャタネットは、ピコネット（図１の点線内）を構築するＢＴ（ブルートゥース：登録商標）のマスタＭ、ピコネットに参加する少なくとも１つ以上のＢＴのスレーブＳ、ＢＴパケットを送受信する図示させていない情報処理部、および各ポートがマスタＭとスレーブＳと情報処理部に繋がり、ＢＴパケットを受信して他のポートへ転送するスイッチ部Ｓｗを備えるＢＴユニット１と、スレーブＳを備え、該スレーブＳを介してＢＴパケットを送受信するＢＴユニット１に接続する周辺機器をなすＢＴユニット２と、スレーブＳを備え、該スレーブＳを介してＢＴパケットを送受信するスキャタネットの端末をなすＢＴユニット３と、から構成され、ＢＴユニット１が複数存在し、１つのピコネットに少なくとも１つ以上のスレーブＳが参加可能であり、ＢＴユニット１のスレーブＳが他のＢＴユニット１のマスタＭが構築したピコネットに参加してピコネット内通信を行うことで、ピコネット同士が網目構造に接続されたスキャタネットを構築し、ＢＴユニット２、３のスレーブＳが何れか１つのピコネットに参加してピコネット内通信を行いピコネット内で複数のＢＴユニット１〜３が共存する。また、三つのスレーブＳと一つのスイッチ部Ｓｗで構成されるＢＴユニット３を設けてもよい。
【００１１】
ＢＴユニット１〜３などの装置は、ＣＰＵ、ＲＯＭ、ＲＡＭなどを有するコンピュータ部を備えている。ＢＴユニット１のマスタＭとスレーブＳは、無線送受信部を共有している。
【００１２】
スイッチ部Ｓｗは、Ｌ３スイッチを構成し、二つ又は三つのピコネットの経路管理をすべて行うＦＤＢ（Forwarding DataBase）などを備え、各ポートから受信したＢＴパケットを夫々のＦＤＢなどに照らして他のポートへ転送することとなる。また、二つ又は三つのピコネットの中継点を構成し、該ピコネットから受信した各ＢＴパケットをＦＤＢなどに照らして、転送先となるＢＴユニット１、３を判定し、該ＢＴユニット１、３を該ＢＴパケットの転送先に指定して該ＢＴユニット１、３側のポートに転送し、ＢＴパケットの転送を受けたマスタＭまたはスレーブＳがＢＴパケットを該ＢＴユニット１、３に送信することとなる。
【００１３】
ＢＴユニット１は、自己の識別情報などをピコネット識別情報とし、該ピコネット識別情報および自己のスレーブＳが参加したピコネットのピコネット識別情報を含むビーコンを自己のマスタＭから他のＢＴユニット１などに向けてブロードキャスト送信させるとともに、他のＢＴユニット１から受信したビーコンを基に自己のスレーブＳを参加させるピコネットを選んでそこに参加させて、自己を含む３つのＢＴユニット１の環が他の環と連環する様に制御する。
【００１４】
具体的には、ＢＴユニット１ａの場合に、受信したビーコンを基に一方のスレーブＳが、自己を含む３つのＢＴユニット１の環が他の環と連環をなす条件に該当するＢＴユニット１ｂが構築したピコネットを選んで参加し、自己を含む３つのＢＴユニット１ａ、１ｂ、１ｃを環にさせるとともに、受信したビーコンを基に他方のスレーブＳが自己を含む３つのＢＴユニット１が、連環をなす条件に該当するＢＴユニット１ｄが構築したピコネットを選んで参加し、自己を含む３つのＢＴユニット１ａ、１ｂ、１ｄを連環させることとなる。ここで、ＢＴユニット１は、自己を含む３つのＢＴユニット１が連環を構成する適当なピコネットが見当たらない場合に、自己が接続していない他のＢＴユニット１が構築した任意のピコネットを見付けてそこに参加することとなる。
【００１５】
上記実施形態において、スキャタネットは、ＢＴユニット１において、自己が構築したピコネットと自己が参加した他のピコネットの識別情報を他のＢＴユニット１に通知する手段と、該他のＢＴユニット１から識別情報を取得し自己を含む３つのＢＴユニット１の環が他の環と連環させる様に自己が他のピコネットに参加する手段を備えることを特徴としてもよい。また、ＢＴユニット１〜３がマスタＭ、スイッチ部Ｓｗ、スレーブＳなどを備えた通信用集積回路を備え、該通信用集積回路によりマスタＭ、スイッチ部Ｓｗ、スレーブＳなどが制御されてＢＴユニット１〜３を実現する構成としてもよい。また、同一エリア内でピコネットの乱立を防ぐために、各ＢＴユニット１が同一エリア内のピコネットの数に応じて、ＢＴユニット３として機能するようにしてもよい。
【００１６】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１７】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１８】
また、インターネット、ＬＡＮ等のネットワークシステムを介して制御プログラムをダウンロードし、インストールして実行するように構成することも可能である。
【符号の説明】
【００１９】
１〜３…ＢＴユニット，Ｍ…マスタ，Ｓ…スレーブ，Ｓｗ…スイッチ部
【図１】
2019169937.tif 000003
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
メッセージを、ブルートゥース（登録商標）のメッシュネットワークのメッセージ中継手段を常に提供しない前記メッシュネットワークの第４無線ノードに送信する前記メッシュネットワークの第１無線ノードと、
前記ブルートゥース（登録商標）の接続手段で前記メッシュネットワークに属さない第５無線ノードを接続する前記メッシュネットワークの第２無線ノードと、
前記メッセージ中継手段を提供する前記メッシュネットワークの第３無線ノードと、により前記メッシュネットワークの目を形成することを特徴とするシステム。
【請求項２】
請求項１に記載のシステムに用いる前記目の形成手段を備えることを特徴とする集積回路。
【請求項３】
請求項１に記載のシステムに用いる前記目の形成手段を備えることを特徴とする無線モジュール。
【請求項４】
プロセッサを、
請求項１に記載のシステムに用いる前記目の形成手段として機能させるための制御プログラム。
【請求項５】
請求項１に記載のシステムに用いる前記第１ないし第４無線ノードの何れか１つを構成することを特徴とする無線デバイス。
【手続補正２】
【補正対象書類名】明細書
【補正対象項目名】０００６
【補正方法】変更
【補正の内容】
【０００６】
上記課題を解決するために本発明のシステムは、メッセージを、ブルートゥース（登録商標）のメッシュネットワークのメッセージ中継手段を常に提供しない前記メッシュネットワークの第４無線ノードに送信する前記メッシュネットワークの第１無線ノードと、前記ブルートゥース（登録商標）の接続手段で前記メッシュネットワークに属さない第５無線ノードを接続する前記メッシュネットワークの第２無線ノードと、前記メッセージ中継手段を提供する前記メッシュネットワークの第３無線ノードと、により前記メッシュネットワークの目を形成することを特徴とする。
【手続補正３】
【補正対象書類名】明細書
【補正対象項目名】０００４
【補正方法】変更
【補正の内容】
【０００４】
ところで、従来の技術は、ブルートゥース（登録商標）のメッシュネットワークに属さない第５無線ノードを、当該メッシュネットワークの第２無線ノードに接続させることができないと言った問題があった。
【手続補正４】
【補正対象書類名】明細書
【補正対象項目名】０００５
【補正方法】変更
【補正の内容】
【０００５】
そこで、本発明の目的は、ブルートゥース（登録商標）のメッシュネットワークに属さない第５無線ノードを、当該メッシュネットワークの第２無線ノードに接続させることができるシステムを提供することにある。
【手続補正５】
【補正対象書類名】明細書
【補正対象項目名】０００７
【補正方法】変更
【補正の内容】
【０００７】
本発明によれば、システムは、ブルートゥース（登録商標）のメッシュネットワークに属さない第５無線ノードを、当該メッシュネットワークの第２無線ノードに接続させることができる。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ブルートゥース（登録商標）のメッセージを、メッセージ中継手段を常に提供しない第４無線ノードに送信する、前記第４無線ノードが属する前記ブルートゥース（登録商標）のメッシュネットワークの第１無線ノードと、
前記ブルートゥース（登録商標）の接続手段で、前記メッシュネットワークに未対応である第５無線ノードを接続する前記メッシュネットワークの第２無線ノードと、
前記メッシュネットワークの第３無線ノードと、により前記メッシュネットワークの目を形成することを特徴とするシステム。
【請求項２】
請求項１に記載のシステムに用いる前記目の形成手段を備えることを特徴とする集積回路。
【請求項３】
請求項１に記載のシステムに用いる前記目の形成手段を備えることを特徴とする無線モジュール。
【請求項４】
プロセッサを、
請求項１に記載のシステムに用いる前記目の形成手段として機能させるための制御プログラム。
【請求項５】
請求項１に記載のシステムに用いる前記第１ないし第４無線ノードの何れか１つを構成することを特徴とする無線デバイス。
【手続補正２】
【補正対象書類名】明細書
【補正対象項目名】０００６
【補正方法】変更
【補正の内容】
【０００６】
上記課題を解決するために本発明のシステムは、ブルートゥース（登録商標）のメッセージを、メッセージ中継手段を常に提供しない第４無線ノードに送信する、前記第４無線ノードが属する前記ブルートゥース（登録商標）のメッシュネットワークの第１無線ノードと、前記ブルートゥース（登録商標）の接続手段で、前記メッシュネットワークに未対応である第５無線ノードを接続する前記メッシュネットワークの第２無線ノードと、前記メッシュネットワークの第３無線ノードと、により前記メッシュネットワークの目を形成することを特徴とする。
【手続補正３】
【補正対象書類名】明細書
【補正対象項目名】０００４
【補正方法】変更
【補正の内容】
【０００４】
ところで、従来の技術は、第４無線ノードが属するブルートゥース（登録商標）のメッシュネットワークに未対応である第５無線ノードを、当該メッシュネットワークの第２無線ノードに接続させることができないと言った問題があった。
【手続補正４】
【補正対象書類名】明細書
【補正対象項目名】０００５
【補正方法】変更
【補正の内容】
【０００５】
そこで、本発明の目的は、第４無線ノードが属するブルートゥース（登録商標）のメッシュネットワークに未対応である第５無線ノードを、当該メッシュネットワークの第２無線ノードに接続させることができるシステムを提供することにある。
【手続補正５】
【補正対象書類名】明細書
【補正対象項目名】０００７
【補正方法】変更
【補正の内容】
【０００７】
本発明によれば、システムは、第４無線ノードが属するブルートゥース（登録商標）のメッシュネットワークに未対応である第５無線ノードを、当該メッシュネットワークの第２無線ノードに接続させることができる。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ブルートゥース（登録商標）のメッセージを、メッセージ中継手段を常に提供しない前記ブルートゥース（登録商標）の第４無線ノードに送信する手段を備え、前記第４無線ノードを有する前記ブルートゥース（登録商標）のメッシュネットワークに備わる第１無線ノードと、
前記ブルートゥース（登録商標）の接続手段を備え、前記接続手段により、前記メッシュネットワークに未対応である第５無線ノードを接続する前記メッシュネットワークの第２無線ノードと、
前記メッセージの送信手段を備える前記メッシュネットワークの第３無線ノードと、により前記メッシュネットワークの目を形成することを特徴とするシステム。
【請求項２】
請求項１に記載のシステムに用いる前記目の形成手段を備えることを特徴とする集積回路。
【請求項３】
請求項１に記載のシステムに用いる前記目の形成手段を備えることを特徴とする無線モジュール。
【請求項４】
プロセッサを、
請求項１に記載のシステムに用いる前記目の形成手段として機能させるための制御プログラム。
【請求項５】
請求項１に記載のシステムに用いる前記第１ないし第４無線ノードの何れか１つを構成することを特徴とする無線デバイス。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）のメッセージを、メッセージ中継手段を常に提供しない前記ブルートゥース（登録商標）の第４無線ノードに送信する手段を備え、前記第４無線ノードを有する前記ブルートゥース（登録商標）のメッシュネットワークに備わる第１無線ノードと、前記ブルートゥース（登録商標）の接続手段を備え、前記接続手段により、前記メッシュネットワークに未対応である第５無線ノードを接続する前記メッシュネットワークの第２無線ノードと、前記メッセージの送信手段を備える前記メッシュネットワークの第３無線ノードと、により前記メッシュネットワークの目を形成することを特徴とする。
【手続補正３】
【補正対象書類名】明細書
【補正対象項目名】０００４
【補正方法】変更
【補正の内容】
【０００４】
ところで、従来の技術は、第４無線ノードを有するブルートゥース（登録商標）のメッシュネットワークに未対応である第５無線ノードを、当該メッシュネットワークの第２無線ノードに接続させることができないと言った問題があった。
【手続補正４】
【補正対象書類名】明細書
【補正対象項目名】０００５
【補正方法】変更
【補正の内容】
【０００５】
そこで、本発明の目的は、第４無線ノードを有するブルートゥース（登録商標）のメッシュネットワークに未対応である第５無線ノードを、当該メッシュネットワークの第２無線ノードに接続させることができるシステムを提供することにある。
【手続補正５】
【補正対象書類名】明細書
【補正対象項目名】０００７
【補正方法】変更
【補正の内容】
【０００７】
本発明によれば、システムは、第４無線ノードを有するブルートゥース（登録商標）のメッシュネットワークに未対応である第５無線ノードを、当該メッシュネットワークの第２無線ノードに接続させることができる。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
ブルートゥース（登録商標）のメッセージを、メッセージ中継手段を常に提供しない前記ブルートゥース（登録商標）の第４無線ノードに送信する手段を備え、前記第４無線ノードを有する前記ブルートゥース（登録商標）のメッシュネットワークに備わる第１無線ノードと、
前記ブルートゥース（登録商標）の接続手段を備え、前記接続手段により、前記メッシュネットワークに未対応である第５無線ノードと接続し前記メッセージの送受信を行う前記メッシュネットワークの第２無線ノードと、
前記メッセージの送信手段を備える前記メッシュネットワークの第３無線ノードと、により前記メッシュネットワークの目を形成することを特徴とするシステム。
【請求項２】
請求項１に記載のシステムに用いる前記目の形成手段を備えることを特徴とする集積回路。
【請求項３】
請求項１に記載のシステムに用いる前記目の形成手段を備えることを特徴とする無線モジュール。
【請求項４】
プロセッサを、
請求項１に記載のシステムに用いる前記目の形成手段として機能させるための制御プログラム。
【請求項５】
請求項１に記載のシステムに用いる前記第１ないし第４無線ノードの何れか１つを構成することを特徴とする無線デバイス。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）のメッセージを、メッセージ中継手段を常に提供しない前記ブルートゥース（登録商標）の第４無線ノードに送信する手段を備え、前記第４無線ノードを有する前記ブルートゥース（登録商標）のメッシュネットワークに備わる第１無線ノードと、前記ブルートゥース（登録商標）の接続手段を備え、前記接続手段により、前記メッシュネットワークに未対応である第５無線ノードと接続し前記メッセージの送受信を行う前記メッシュネットワークの第２無線ノードと、前記メッセージの送信手段を備える前記メッシュネットワークの第３無線ノードと、により前記メッシュネットワークの目を形成することを特徴とする。
【手続補正３】
【補正対象書類名】明細書
【補正対象項目名】０００４
【補正方法】変更
【補正の内容】
【０００４】
ところで、従来の技術は、第４無線ノードを有するブルートゥース（登録商標）のメッシュネットワークの第２無線ノードが、当該メッシュネットワークに未対応である第５無線ノードと接続しメッセージの送受信を行うことができないと言った問題があった。
【手続補正４】
【補正対象書類名】明細書
【補正対象項目名】０００５
【補正方法】変更
【補正の内容】
【０００５】
そこで、本発明の目的は、第４無線ノードを有するブルートゥース（登録商標）のメッシュネットワークの第２無線ノードが、当該メッシュネットワークに未対応である第５無線ノードと接続しメッセージの送受信を行うことができるシステムを提供することにある。
【手続補正５】
【補正対象書類名】明細書
【補正対象項目名】０００７
【補正方法】変更
【補正の内容】
【０００７】
本発明によれば、システムは、第４無線ノードを有するブルートゥース（登録商標）のメッシュネットワークの第２無線ノードが、当該メッシュネットワークに未対応である第５無線ノードと接続しメッセージの送受信を行うことができる。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ブルートゥース（登録商標）のメッセージを、メッセージ中継手段を常に提供しない第４無線ノードに送信する第１手段と、前記ブルートゥース（登録商標）の接続手段と、前記接続手段により、前記第４無線ノードを有する前記ブルートゥース（登録商標）の第１通信形態のメッシュネットワークに対応しない前記ブルートゥース（登録商標）の第２通信形態の第５無線ノードと接続し前記メッセージの送受信を行う第２手段と、を備える前記メッシュネットワークの第１無線ノードと、
前記メッセージの送信手段を備える前記メッシュネットワークの第２無線ノードと、
前記送信手段を備える前記メッシュネットワークの第３無線ノードと、により前記メッシュネットワークの目を形成することを特徴とするシステム。
【請求項２】
請求項１に記載のシステムに用いる前記目の形成手段を備えることを特徴とする集積回路。
【請求項３】
請求項１に記載のシステムに用いる前記目の形成手段を備えることを特徴とする無線モジュール。
【請求項４】
プロセッサを、
請求項１に記載のシステムに用いる前記目の形成手段として機能させるための制御プログラム。
【請求項５】
請求項１に記載のシステムに用いる前記第１ないし第４無線ノードの何れか１つを構成することを特徴とする無線デバイス。
【手続補正２】
【補正対象書類名】明細書
【補正対象項目名】０００６
【補正方法】変更
【補正の内容】
【０００６】
上記課題を解決するため本発明のシステムは、ブルートゥース（登録商標）のメッセージを、メッセージ中継手段を常に提供しない第４無線ノードに送信する第１手段と、前記ブルートゥース（登録商標）の接続手段と、前記接続手段により、前記第４無線ノードを有する前記ブルートゥース（登録商標）の第１通信形態のメッシュネットワークに対応しない前記ブルートゥース（登録商標）の第２通信形態の第５無線ノードと接続し前記メッセージの送受信を行う第２手段と、を備える前記メッシュネットワークの第１無線ノードと、前記メッセージの送信手段を備える前記メッシュネットワークの第２無線ノードと、前記送信手段を備える前記メッシュネットワークの第３無線ノードと、により前記メッシュネットワークの目を形成することを特徴とする。
【手続補正３】
【補正対象書類名】明細書
【補正対象項目名】０００４
【補正方法】変更
【補正の内容】
【０００４】
ところで、従来の技術は、ブルートゥース（登録商標）の第１通信形態のメッシュネットワークの第１無線ノードが、当該メッシュネットワークに対応しないブルートゥース（登録商標）の第２通信形態の第５無線ノードと接続することができないと言った問題があった。
【手続補正４】
【補正対象書類名】明細書
【補正対象項目名】０００５
【補正方法】変更
【補正の内容】
【０００５】
そこで、本発明の目的は、ブルートゥース（登録商標）の第１通信形態のメッシュネットワークの第１無線ノードが、当該メッシュネットワークに対応しないブルートゥース（登録商標）の第２通信形態の第５無線ノードと接続することができるシステムを提供することにある。
【手続補正５】
【補正対象書類名】明細書
【補正対象項目名】０００７
【補正方法】変更
【補正の内容】
【０００７】
本発明によれば、システムは、ブルートゥース（登録商標）の第１通信形態のメッシュネットワークの第１無線ノードが、当該メッシュネットワークに対応しないブルートゥース（登録商標）の第２通信形態の第５無線ノードと接続することができる。